(57)【要約】      （修正有）【課題】容易かつ簡易に使用者の頭を覆い、雨具および頭巾として使用することができるレジャーシートの提供。【解決手段】レジャーシート１は、シート片２０、シート片３０ａ、シート片３０ｂ、縁取りテープ１４、表面シート１１および裏面シート１３が接着層１２で接着されている主シート１０を有している。主シート１０のうちシート片２０と対向する部分とシート片２０とにより使用者の頭を挿入可能にするフード部が形成されている。主シート１０とシート片３０ａとにより第１の挿入部が形成され、主シート１０とシート片３０ｂにより第２の挿入部が形成されている。これにより、レジャーシート自体に孔をあけたり、レジャーシートを切り欠きすることでレジャーシートとしての機能を損なわせることなく、容易かつ簡易に使用の頭を覆い、雨具および頭巾として使用することができる。【選択図】図３
0003116068.tif 000002
【実用新案登録請求の範囲】
【請求項１】
第１のシート、
前記第１のシートよりも小さい第２のシートを備えたレジャーシートであって、
前記第２のシートは、前記第１のシートの隅部に設けられており、
前記第１のシートのうち前記第２のシートと対向する部分と前記第２のシートとにより使用者の頭を挿入可能とするフード部が形成されるように前記第１のシートと前記第２のシートが結合されていること、
を特徴とするレジャーシート。
【請求項２】
第１のシート、
前記第１のシートよりも小さい第２のシートを備えたレジャーシートであって、
前記第２のシートは、前記第１のシートの端部に設けられており、
前記第１のシートのうち前記第２のシートと対向する部分と前記第２のシートとにより使用者の頭を挿入可能とするフード部が形成されるように前記第１のシートと前記第２のシートが結合されており、
前記第１のシートは、前記フード部に使用者の頭を挿入した場合に前記使用者の左手を挿入する第１の挿入部、および前記使用者の右手を挿入する第２の挿入部を有していること、
を特徴とするレジャーシート。
【請求項３】
第１のシート、
前記第１のシートよりも小さい第２のシートを備えたレジャーシートであって、
前記第２のシートは、前記第１のシートの端部に設けられており、
前記第１のシートのうち前記第２のシートと対向する部分と前記第２のシートとにより使用者の頭を挿入可能とするフード部が形成されるように前記第１のシートと前記第２のシートが結合されており、
前記第１のシートは、前記フード部に使用者の頭を挿入した場合に前記使用者の身体の側面および前面を覆う状態を保持する保持部を有していること、
を特徴とするレジャーシート。
【請求項４】
請求項１ないし請求項３に係るレジャシートにおいて、
前記第１のシートには、防災情報が記載されていること、
を特徴とするレジャーシート。
【考案の詳細な説明】
【技術分野】
【０００１】
本考案は、レジャーシートであって、特に、雨具および頭巾としても使用可能なものに関する。
【背景技術】
【０００２】
従来、レジャーシートが存在していた。
【考案の開示】
【考案が解決しようとする課題】
【０００３】
しかし、従来のレジャーシートを雨具および頭巾として使用しようとした場合、このレジャーシートには使用者の頭上を覆うフード部が設けられていなかったため、レジャーシートを雨具および頭巾として使用するには適さなかった。
【０００４】
なお、実開平１−８１９２２号公報には、レジャー用マット本体の中央部に人体頭部を挿通可能な開口および前記開口をその周縁部を含めて覆うように一部を除いて前記マットの本体の一方の面に接合された透明シートを有することにより、雨具兼用レジャー用マットの機能を発揮させようとしている技術が開示されている。
【０００５】
しかし、前記マット本体の中央部に前記開口を設けることは、レジャー用マットとしての外観を悪くさせ、強度も弱くさせる等レジャー用マットとしての機能を損なわせる。また、前記マット本体に前記開口のみならず、前記透明シートを設ける作業は、手間がかかるものである。
【０００６】
また、実用新案登録第３０１７５２７号公報には、簡易防雨具兼用レジャーマットの上辺の中央部分近傍にフードを有することにより、雨具兼用レジャーマットの機能を発揮させようとしている技術が開示されている。
【０００７】
しかし、前記フードを前記レジャーマットの上辺の中央部分近傍に設けるためには、前記レジャーマットを特別に裁断等して特別な加工を施さなければならない。そのため、生産に手間がかかるものである。
【０００８】
そこで、本考案は、容易かつ簡易に使用者の頭を覆い、雨具および頭巾として使用することができるレジャーシートを提供することを目的とする。
【課題を解決するための手段】
【０００９】
本考案に係るレジャーシートは、第１のシート、前記第１のシートよりも小さい第２のシートを備えたレジャーシートであって、前記第２のシートは、前記第１のシートの隅部に設けられており、前記第１のシートのうち前記第２のシートと対向する部分と前記第２のシートとにより使用者の頭を挿入可能とするフード部が形成されるように前記第１のシートと前記第２のシートが結合されている。
【００１０】
前記第１のシートの隅部に設けられている前記第２のシートと記第１のシートのうち前記第２のシートと対向する部分とにより使用者の頭を挿入可能とするフード部が形成されるように前記第１のシートと前記第２のシートが結合されていることにより、レジャーシート自体に孔をあけたり、レジャーシートを切り欠きすることでレジャーシートとしての機能を損なわせることなく、容易かつ簡易に使用の頭を覆い、雨具および頭巾として使用することができる。また、前記フード部は前記第１のシートの隅部に形成されることにより、使用者の頭を覆うように装着した際、前記隅部に存在する前記第１のシートならびに前記第２のシートの面により、当該頭およびレジャーシートの位置関係を前後左右に大きくずれないようにすることができる。
【００１１】
本考案に係るレジャーシートは、前記第１のシートよりも小さい第２のシートを備えたレジャーシートであって、前記第２のシートは、前記第１のシートの端部に設けられており、前記第１のシートのうち前記第２のシートと対向する部分と前記第２のシートとにより使用者の頭を挿入可能とするフード部が形成されるように前記第１のシートと前記第２のシートが結合されており、前記第１のシートは、前記フード部に使用者の頭を挿入した場合に前記使用者の左手を挿入する第１の挿入部、および前記使用者の右手を挿入する第２の挿入部を有している。
【００１２】
前記第１のシートの端部に設けられている前記第２のシートと記第１のシートのうち前記第２のシートと対向する部分とにより使用者の頭を挿入可能とするフード部が形成されるように前記第１のシートと前記第２のシートが結合されていることにより、レジャーシート自体に孔をあけたり、レジャーシートを切り欠きすることでレジャーシートとしての機能を損なわせることなく、容易かつ簡易に使用の頭を覆い、雨具および頭巾として使用することができる。
【００１３】
また、使用者の左手および右手を挿入する挿入部を有している。そのため、使用者の頭を覆うように装着した際に、前記挿入部に挿入した手で前記フード部から離れる方向に対してレジャーシートに力が加えられることにより、当該頭およびレジャーシートの位置関係を前後左右に大きくずれないように押さえることができる。さらに、前記挿入部に挿入した手で前記挿入部を使用者の身体の正面方向に移動させることにより、使用者の身体の側面および前面を覆い、雨等に触れないようにすることができる。
【００１４】
本考案に係るレジャーシートは、第１のシート、前記第１のシートよりも小さい第２のシートを備えたレジャーシートであって、前記第２のシートは、前記第１のシートの端部に設けられており、前記第１のシートのうち前記第２のシートと対向する部分と前記第２のシートとにより使用者の頭を挿入可能とするフード部が形成されるように前記第１のシートと前記第２のシートが結合されており、前記第１のシートは、前記フード部に使用者の頭を挿入した場合に前記使用者の身体の側面および前面を覆う状態を保持する保持部を有している。
【００１５】
前記第１のシートの端部に設けられている前記第２のシートと記第１のシートのうち前記第２のシートと対向する部分とにより使用者の頭を挿入可能とするフード部が形成されるように前記第１のシートと前記第２のシートが結合されていることにより、レジャーシート自体に孔をあけたり、レジャーシートを切り欠きすることでレジャーシートとしての機能を損なわせることなく、容易かつ簡易に使用の頭を覆い、雨具および頭巾として使用することができる。
【００１６】
また、使用者の身体の側面および前面を覆う状態を保持することができる保持部を有していることにより、使用者の側面および前面を雨等に触れないようにすることができる。さらに、使用者の頭を覆うように装着した際に、前記保持部で保持されるときにレジャーシートに加えられる力により、当該頭およびレジャーシートの位置関係を前後左右に大きくずれないように押さえることができる。
【００１７】
本考案における「レジャーシート」とは、薄状の敷物であって、人および物と地面などの面との間に敷かれ、衣服、物などが地面などの面に直接触れないようにすることができるものであればよく、野外で昼食をとったり休憩したりする場合等いわゆるレジャーの場面で使用されるものに限定されず、災害があった場合の避難時などにも使用されるものを含む概念である。
【００１８】
また、本考案における「使用者の身体の側面および前面を覆う状態を保持する」とは、使用者の身体の側面および前面の全てを覆う場合に限られず、一部を覆う場合を含む概念である。
【００１９】
なお、本考案に係る実用新案登録請求の範囲で使用されている文言について、実施形態との対応関係を以下説明する。
【００２０】
「第１のシート」は、実施形態においては主シート１０が該当する。
【００２１】
「第２のシート」は、実施形態においてはシート片２０が該当する。
【００２２】
「フード部」は、実施形態においては主シート１０のういちシート片２０と対向する部分とシート片２０とにより形成されている部分が該当する。
【００２３】
「第１の挿入部」は、実施形態においては主シート１０とシート片３０ａとにより形成されている部分が該当する。
【００２４】
「第２の挿入部」は、実施形態においては主シート１０とシート片３０ｂとにより形成されている部分が該当する。
【００２５】
「使用者の身体の側面および前面を覆う状態を保持する保持部」は、その他の実施形態においては主シート１０とシート片３０ａまたは／およびシート片３０ｂの代わりに設けられる紐状物などにより形成される部分が該当する。
【考案を実施するための最良の形態】
【００２６】
１．構成および生産方法
まず、本考案に係るレジャーシート１の構成を図１（平面図）および図２（断面図）を用いて説明する。レジャーシート１は、図１に示すように、主シート１０、シート片２０、シート片３０ａ、シート片３０ｂおよび縁取りテープ１４を有している。
【００２７】
図２に示すように、主シート１０は、表面シート１１、接着層１２および裏面シート１３を有している。表面シート１１の表面１１ａには、地震、津波、洪水などの災害時に予想される水害予測図・地すべり危険区域マップ・液状化予測図・火山防災マップ・危険度のランク付け・各地域の避難する施設等が記載された防災地図（ハザードマップ）、防災に関する日常の備えについての情報、災害時の心構えについての情報、緊急連絡先、その他の防災に関する情報（防災情報）が印刷されている。表面シート１１の素材としては、ポリプロピレンなどの熱可塑性の合成樹脂が用いられている。また、接着層１２および裏面シート１３の素材としては、ポリエチレンなどの熱可塑性の合成樹脂が用いられている。
【００２８】
シート片２０は、透明であり、素材としては塩化ビニルなどの熱可塑性の合成樹脂が用いられている。主シート１０のうちシート片２０と対向する部分とシート片２０とにより、使用者の頭を挿入可能にするフード部が形成されている。
【００２９】
また、第１の挿入部は主シート１０とシート片３０ａとにより形成されており、第２の挿入部は主シート１０とシート片３０ｂにより形成されている。
【００３０】
シート片３０ａ、シート片３０ｂおよび縁取りテープ１４の素材としては、塩化ビニルなどの熱可塑性の合成樹脂が用いられている。
【００３１】
次に、本考案に係るレジャーシート１の生産方法を図１ないし図３を用いて説明する。防災情報などの各種情報が印刷された表面シート１１と裏面シート１３を接着層１２を介して接着することにより、主シート１０が作られる。この主シート１０の隅部にシート片２０を、主シート１０の所望の位置にシート片３０ａおよびシート片３０ｂを合わせ、縁取りテープ１４にて接合させる（図２参照）。これにより、図１に示すように、主シート１０とシート片２０とは重なり合う隅部の２辺が接合される。また、主シート１０とシート片３０ａとは重なり合う端部の２辺が接合される。さらに、主シート１０とシート片３０ｂとは重なり合う端部の２辺が接合される。この結果、図３に示すように、シート片２０のうち主シート１０とシート片２０が接合されていない辺が開口されているフード部、主シート１０とシート片３０ａとにより形成されている第１の挿入部、および主シート１０とシート片３０ｂとにより形成されている第２の挿入部を有するレジャーシート１が完成する。
【００３２】
２．使用方法
前述のように生産された本考案に係るレジャーシート１の使用方法を図１および図３を参照しつつ説明する。レジャーシート１を野外などの地面に敷く際、裏面シート１３の面を地面側にして敷く（図示せず）。表面シート１１の上には人が乗ったり、物を乗せる（図示せず）。これにより、野外で昼食をとったり休憩したりする場合などに人および物を地面に直接触れさせず、汚れないようにすることができる。
【００３３】
また、レジャーシート１の主シート１０における表面シート１１の表面１１ａには、地震、津波、洪水などの災害時に予想される水害予測図・地すべり危険区域マップ・液状化予測図・火山防災マップ・危険度のランク付け・各地域の避難する施設等が記載された防災地図（ハザードマップ）、防災に関する日常の備えについての情報、災害時の心構えについての情報、緊急連絡先、その他の防災に関する情報（防災情報）が印刷されている。これにより、野外で昼食をとったり休憩したりする場合などにおいても、簡単に防災情報を得ることができる。さらに、これらの情報は表面シート１１の表面１１ａに印刷されているため、レジャーシート１を敷いて使用している最中でも、簡単にこれらの情報を得ることができる。
【００３４】
特に今日、災害時における有益な情報として前述のハザードマップが多く作成されているが、当該マップは単に紙媒体の印刷物などに記載されているのみで、実際の使用頻度は高くなく、災害時に人間が迅速、適切に行動することに大いに役立っているとまでは言えない。しかし、レジャーシート１は、敷物としての機能のみならず、後述するように雨具および頭巾としての機能も有するものである。そのため、紙媒体に印刷されたハザードマップに比し実用性があると考えられるので、使用頻度は高いといえる。すなわち、レジャーシート１に防災情報が記載されていることにより、防災情報を得る機会を多く持つことができる。これにより、レジャーシート１を敷いて使用する際に事前に防災情報を得ることができ、また災害があった場合の避難時に雨具、頭巾、または敷物としてレジャーシート１を使用する際には災害時において防災情報を正確適切に得ることができる。その結果、災害時において人間がより適切に行動できるようになり、人間の生命が救われることが多くなる。
【００３５】
さらに、前述の防災情報は、シート片２０、シート片３０ａおよびシート片３０ｂが設けられている面に印刷されていないことから、シート片２０、シート片３０ａおよびシート片３０ｂに制約されることなく、印刷することができる。また、主シート１０は実開平１−８１９２２号公報に記載されているように孔が設けられていないため、主シート１０に防災情報を記載する際により多くの防災情報を記載することができる。
【００３６】
レジャーシート１は、このような敷物としての使用方法のみならず、図３に示すように、使用者がフード部で頭を覆うことにより、使用者の頭がフード部で止まり、雨具および頭巾として使用することもできる。
【００３７】
また、シート片２０は透明であるので、フード部が使用者の顔の全面を覆うようになる場合であっても、使用者前方の視界が悪くなることはない。
【００３８】
主シート１０とシート片３０ａとにより形成されている第１の挿入部に使用者の左手を挿入し、主シート１０とシート片３０ｂとにより形成されている第２の挿入部に使用者の右手を挿入する。使用者の頭を覆った際に、これらの挿入部に挿入した手で前記フード部から離れる方向に対してレジャーシートに力が加えられることにより、当該頭およびレジャーシートを前後左右に大きくずれないように押さえることができる。さらに、これらの挿入部に挿入した手でこれらの挿入部を使用者の身体の正面方向に移動させることにより、使用者の身体の側面および前面を覆い、雨等に触れないようにすることができる。また、図３に示すように、第１の挿入部および第２の挿入部においては、使用者の手を挿通できる。そのため、両手が自由になるため、使用者の身体の側面および前面を覆い、雨等に触れないようにしつつ、両手を自由に使うことができる。
【００３９】
［その他の実施形態］
前述の実施形態におけるレジャーシート１は、主シート１０とシート片３０ａとにより形成されている第１の挿入部、主シート１０とシート片３０ｂとにより形成されている第２の挿入部を有しているが、シート片３０ａ、シート片３０ｂ、第１の挿入部および第２の挿入部を有していなくてもよい。この場合、主シート１０とシート片２０とが前述の実施形態の関係にあることにより、使用者の頭を覆うように装着した際、前記隅部に存在する前記第１のシートおよび前記第２のシートの面により、当該頭およびレジャーシート１の位置関係を前後左右に大きくずれないようにすることができる。
【００４０】
また、前述の実施形態におけるレジャーシート１は、主シート１０とシート片３０ａとにより形成されている第１の挿入部、主シート１０とシート片３０ｂとにより形成されている第２の挿入部を有しているが、シート片３０ａ、シート片３０ｂ、第１の挿入部および第２の挿入部の代わりに使用者の身体の側面および前面を覆う状態を保持することができる保持部（図示せず）を設けるようにしてもよい。これにより、使用者の身体の側面および前面を雨等に触れないようにすることができる。この保持部は、主シート１０を使用者の身体の側面および正面を覆うように移動させた場合に保持できるものであれば、主シート１０に設けられる位置はどこでもよく、保持部を構成する物、形状、素材もどのようなものであってもよい。保持部を構成する物としては、例えば、紐状物、ボタン、何らかの係合物、これらと小さな孔、面ファスナーなどである。また、使用者の頭を覆った際に、前記フード部が前記第１シートの隅部に設けられていなくても、前記保持部で保持されるときにレジャーシートに加えられる力により、当該頭およびレジャーシートを前後左右に大きくずれないように押さえることができる。さらに、前記保持部が使用者の手を必要とせずに設けられた場合には、両手が自由になるため、使用者の身体の側面および前面を覆い、雨等に触れないようにしつつ、両手を自由に使うことができる。
【００４１】
前述の実施形態におけるレジャーシート１では、主シート１０として９０ｃｍ角の正方形を用いたが、大きさはこれに限られない。また、形についても、正方形に限らず、長方形、五角形など他の形であってもよい。
【００４２】
また、前述の実施形態におけるレジャーシート１では、主シート１０は、表面シート１１、接着層１２および裏面シート１３の３つの層から構成されているが、より多くの層で構成されてもよく、１つの層（例えば、表面シート１１のみ）で構成されてもよい。複数の層で構成した場合には、レジャーシートの強度を高めることができる。１つの層で構成した場合には、より簡易に本考案に係るレジャーシートをつくることができる。
【００４３】
さらに、前述の実施形態における表面シート１１の表面１１ａに印刷されている防災情報は、レジャーシート１のどこかに印刷されていれば、表面シート１１に印刷されていなくてもよい。また、印刷される情報としては、前述の防災情報以外の情報であってもよい。例えば、観光情報などである。
【００４４】
また、接着層１２は、少なくとも２つのシートを接着できるものあれば、接着剤であっても、接着シートであってもよい。
【００４５】
前述の実施形態におけるレジャーシート１では、シート片２０は、三角形であるが、四角形、四分円など他の形であってもよい。また、シート片２０は、透明であるためにフード部が使用者の顔の全面を覆うようになる形であってもよいが、透明でなくとも、使用者の前方の視界が悪くならないのであれば半透明のものでもよい。さらに、シート片２０は、使用者の前方の視界が悪くならない形であれば、透明、半透明でなくてもよい。
【００４６】
また、前述の実施形態における開口部は、主シート１０の中心方向に開口されているが、使用者の頭を挿入し、フード部を設けることができる方向なら、他の方向に開口されていてもよい。また、シート片２０は、レジャーシート１を敷いて使用した場合に引っかかり、邪魔になるのを防ぐことができるように主シート１０の裏面に設けられているが、引っかかり、邪魔になるのを気にしないのであれば主シート１０の表面に設けられてもよい。この場合、シート片３０ａおよびシート片３０ｂも表面に設けられればよい。
【００４７】
また、前述の実施形態におけるレジャーシート１では、シート３０ａおよびシート片３０ｂは、主シート１０の隅部に設けられているがこれに限られない。すなわち、シート３０ａおよびシート片３０ｂは、主シート１０とシート片２０が結合していない部分であり、かつ主シート１０とシート３０ａにより形成される第１の挿入部に使用者の左手を挿入可能にし、主シート１０とシート３０ｂにより形成される第２の挿入部に使用者の右手を挿入可能にする位置であれば、主シート１０の隅部以外の位置に設けられてもよい。
【００４８】
また、図３に示すように、シート片３０ａは主シート１０とシート３０ａにより形成される第１の挿入部が使用者の左手を挿通することができるように設けられているが、使用者の手を挿入できるよう第１の挿入部を形成できれば使用者の手を挿通できなくてもよい。例えば、シート片３０ａを図１に示されるシート片２０と同様の形（三角形）などにするのでもよい。さらに、シート片３０ａは、シート状のものであるが、使用者の手を挿入できるように第１の挿入部を形成できればシート状のものでなくてよい。なお、シート片３０ｂおよび第２の挿入部においても同様である。
【００４９】
前述の実施形態における主シート１０、シート片２０、シート片３０ａおよびシート片３０ｂの素材としては、熱可塑性の合成樹脂が用いられているが、これに限られるものではない。例えば、耐水性、撥水性がある素材であってもよい。
【００５０】
また、前述の防災情報などの情報が耐水性、撥水性がある素材からなる主シート１０、または耐水性、撥水性があるように加工された主シート１０に印刷される場合には、主シート１０が雨などにより濡れた場合であっても、当該情報は滲むことがなく読み取ることができる。これにより、災害があった場合の避難時等にも、レジャーシート１により防災情報等を確実に得ることができる。
【図面の簡単な説明】
【００５１】
【図１】本考案に係るレジャーシート１の平面図である。
【図２】図１に係るレジャーシート１のＡ−Ａ断面図である。
【図３】レジャーシート１の使用方法を説明するための図である。
【符号の説明】
【００５２】
１・・・・・レジャーシート
１０・・・・・主シート
１１・・・・・表面シート
１２・・・・・接着層
１３・・・・・裏面シート
１４・・・・・縁取りテープ
２０・・・・・シート片
３０ａ・・・・・シート片
３０ｂ・・・・・シート片
【図１】
0003116068.tif 000003
【図２】
0003116068.tif 000004
【図３】
0003116068.tif 000005